(57)【要約】【課題】  犬や猫等のペットが涼しく、快適に過ごせるペット用冷却マットを簡単に提供し、しかも該マットを敷いた床面等に水漏れや傷等が生じたりしないようにする。【解決手段】  水の蒸発潜熱（気化熱）を利用するペット用冷却マット１０を、多孔質材料を焼成することにより形成されるマット基材１１と、このマット基材の少なくとも底面部に形成される防水塗膜による防水層１２と、この防水層を介してマット基材の底面部に積層して設けられる樹脂材（軟質樹脂材、発砲軟質樹脂材等）による防水底板材１３とから構成する。【選択図】        図１
2012223132.tif 000002
【特許請求の範囲】
【請求項１】
水の蒸発潜熱を利用するペット用冷却マットであって、
多孔質材料を焼成することにより形成されるマット基材と、
このマット基材の少なくとも底面部に形成される防水塗膜による防水層と、
この防水層を介して前記マット基材の底面部に積層して設けられる樹脂材による防水底板材とから構成されていることを特徴とするペット用冷却マット。
【請求項２】
請求項１記載のペット用冷却マットにおいて、
前記マット基材の底面部に積層して設けられる樹脂材が軟質樹脂材であることを特徴とするペット用冷却マット。
【請求項３】
請求項１または請求項２に記載のペット用冷却マットにおいて、
前記マット基材の底面部に積層して設けられる軟質樹脂材が発泡軟質樹脂材であることを特徴とするペット用冷却マット。
【請求項４】
請求項１ないし請求項３のいずれか１項記載のペット用冷却マットにおいて、
前記ペット用冷却マットの側縁部を囲繞して設けられる帯状のサイドカバー体を備えていることを特徴とするペット用冷却マット。
【請求項５】
請求項１ないし請求項４のいずれか１項に記載のペット用冷却マットにおいて、
前記マット基材は、ペットが座る座面部とこの座面部を取り囲むように側縁部分に膨出して形成された側縁部とを有することを特徴とするペット用冷却マット。
【請求項６】
請求項５記載のペット用冷却マットにおいて、
前記側縁部の少なくとも一部を座面部と同じ高さに形成することにより入口部としたことを特徴とするペット用冷却マット。
【請求項７】
請求項１ないし請求項６のいずれか１項に記載のペット用冷却マットにおいて、
前記マット基材は、全体が円形、楕円形、多角形、角部に丸みを有する多角形またはそら豆型を呈するように形成されていることを特徴とするペット用冷却マット。
【請求項８】
請求項１ないし請求項７のいずれか１項に記載のペット用冷却マットにおいて、
前記マット基材は、前記座面部の側縁部分から立ち上がる側壁部と天井部とを有し、その内部にペット収容空間を形成する形状で形成されるとともに、側壁部の少なくとも一部が開口部として形成されていることを特徴とするペット用冷却マット。
【請求項９】
請求項１ないし請求項８のいずれか１項に記載のペット用冷却マットにおいて、
前記マット基材の表面は、複数の凹みを等配させることによる凹凸形状で形成されていることを特徴とするペット用冷却マット。
【発明の詳細な説明】
【技術分野】
【０００１】
本発明は、愛玩動物等といった犬、猫等の小動物（以下、ペットという）が座ったり横臥したりしたときに、水分が気化する際の吸熱（潜熱）作用により冷却効果、例えばひんやり感、清涼感等を与えることができるペット用冷却マットに関する。
【背景技術】
【０００２】
犬、猫等のペットに対して冷却効果を作用させることができる種々の構造をもつペット用冷却マットが従来から種々知られている。
【０００３】
この種のペット用冷却マットとしては、例えば大理石等のように素材自体の冷却効果を得るもの、吸水性シートや吸水体を用い水分が気化する際の吸熱（潜熱）作用だけで表面温度を低く保つようにしたもの、あるいは冷凍庫で冷やす蓄冷材を組み合わせてなる気化式のもの等、種々の構造をもつものが知られている。
【０００４】
例えば、特許文献１には、通気性を有する外装体内に、吸水性シート、蓄熱材シートを順次収容することにより、蓄熱材シートによる冷却で潜熱による冷却効果を持続させ、長時間の快適性が得られるように構成したものが提案されている。
【０００５】
また、特許文献２には、内装体内に吸水性ポリマーを封入してなるマット本体と、このマット本体を収容する通気性を備えた素材で形成した外装体とからなる構造のものが提案されている。
【先行技術文献】
【特許文献】
【０００６】
【特許文献１】特許第４２８４８２１号公報
【特許文献２】実用新案登録第３０７００１８号公報
【発明の概要】
【発明が解決しようとする課題】
【０００７】
しかし、上述した従来のペット用冷却マットにおいて、大理石等のように素材を生かしただけのものでは、ペットに対しての清涼感に欠け、冷却性能の面で効果が薄いばかりでなく、また大理石等では設置個所に制約を受けるといった問題があった。特に、大理石等の堅い材料によるものは、屋内の床等に設置すると、床面が傷付く虞れがあり、使用に注意を要するものであった。
【０００８】
また、吸水性シートや吸水体を用いたものでは、使用にあたって水分を含ませる必要があることから、設置個所が汚れるといった問題があった。特に、屋内の床に設置した場合には、そのまま設置すると床面が汚れるので、トレイなどを下に敷いてから、冷却マットを敷く必要があり、トレイ等が必要であるばかりでなく、設置にあたって体裁が悪いといった問題もあった。
【０００９】
また、前述した特許文献１，２のように、蓄熱材シートを組み合わせたものでは、このペット用冷却マット自体の構造が複雑となり、構成部品点数が多くなり、加工、組立ての手間もかかり、コスト高となるといった問題もあった。さらに、このような冷却マットでは、蓄熱材シートを冷凍庫などで冷やす必要があり、使用にあたっての手間が煩雑であるといった問題もあった。
【００１０】
本発明はこのような事情に鑑みてなされたものであり、犬や猫等のペットが清涼感を得て、快適に過ごせるとともに、構造が簡単で、比較的安価に得ることが可能で、しかも床面等に敷いた場合に従来問題であった水漏れを生じたり床面を傷付けたりする虞れがなく、設置にあたってトレイ等を必要とせず、使い勝手がよいペット用冷却マットを得ることを目的とする。
【課題を解決するための手段】
【００１１】
このような目的に応えるために本発明（請求項１記載の発明）に係るペット用冷却マットは、水の蒸発潜熱を利用するペット用冷却マットであって、多孔質材料を焼成することにより形成されるマット基材と、このマット基材の少なくとも底面部に形成される防水塗膜による防水層と、この防水層を介して前記マット基材の底面部に積層して設けられる樹脂材による防水底板材とから構成されていることを特徴とする。
【００１２】
本発明（請求項２記載の発明）に係るペット用冷却マットは、請求項１において、前記マット基材の底面部に積層して設けられる樹脂材が軟質樹脂材であることを特徴とする。
【００１３】
本発明（請求項３記載の発明）に係るペット用冷却マットは、請求項１または請求項２において、前記マット基材の底面部に積層して設けられる軟質樹脂材が発泡軟質樹脂材であることを特徴とする。
【００１４】
本発明（請求項４記載の発明）に係るペット用冷却マットは、請求項１ないし請求項３のいずれか１項において、前記ペット用冷却マットの側縁部を囲繞して設けられる帯状のサイドカバー体を備えていることを特徴とする。
【００１５】
本発明（請求項５記載の発明）に係るペット用冷却マットは、請求項１ないし請求項４のいずれか１項において、前記マット基材は、ペットが座る座面部とこの座面部を取り囲むように側縁部分に膨出して形成された側縁部とを有することを特徴とする。
【００１６】
本発明（請求項６記載の発明）に係るペット用冷却マットは、請求項５において、前記側縁部の少なくとも一部を座面部と同じ高さに形成することにより入口部としたことを特徴とする。
【００１７】
本発明（請求項７記載の発明）に係るペット用冷却マットは、請求項１ないし請求項６のいずれか１項において、前記マット基材は、全体が円形、楕円形、多角形、角部に丸みを有する多角形またはそら豆型を呈するように形成されていることを特徴とする。
【００１８】
本発明（請求項８記載の発明）に係るペット用冷却マットは、請求項１ないし請求項７のいずれか１項において、前記マット基材は、前記座面部の側縁部分から立ち上がる側壁部と天井部とを有し、その内部にペット収容空間を形成する形状で形成されるとともに、側壁部の少なくとも一部が開口部として形成されていることを特徴とする。
【００１９】
本発明（請求項９記載の発明）に係るペット用冷却マットによれば、請求項１ないし請求項８のいずれか１項において、前記マット基材の表面は、複数の凹みを等配させることによる凹凸形状で形成されていることを特徴とする。
【００２０】
本発明に係るペット用冷却マットによれば、多孔質材料によるマット基材に水噴き等を行うことにより、水の蒸発潜熱（気化熱）によって該マット基材上に座ったり横臥したりするペットに対し、清涼感を与えることができるものである。
【発明の効果】
【００２１】
以上説明したように本発明に係るペット用冷却マットによれば、多孔質材料によるマット基材、防水塗膜による防水層、防水樹脂材による防水底板材によって構成されているため、簡単な構造で、比較的安価に得ることができるとともに、水を吹き付けるだけで水分が気化する際の蒸発潜熱作用により、マット基材の表面の温度を低く抑えることが可能で、これにより犬や猫等のペットに清涼感を与えて、快適に過ごせるようにするという所要の冷却効果を得ることができる。
【００２２】
また、本発明によれば、マット基材の底板部に防水層を介して防水樹脂材による防水底板材が積層して形成されているため、マット基材に水吹き等で水分を含ませても、該マットの設置床面上に洩れ出すといった問題は生ぜず、従来必要であったトレイ等の使用が不要であり、使い勝手がよいといった利点がある。
特に、ペット用冷却マットの側縁部を囲繞して帯状のサイドカバー体を設けることにより、防水性をより一層確実なものとすることができる。
【００２３】
さらに、本発明に係るペット用冷却マットによれば、マット基材の底面部に防水層を介して樹脂材による防水底板材が設けられているから、底面部が柔軟性をもち、設置した床面等に傷等が付いてしまうといった問題はない。
特に、防水底板材を、軟質樹脂材、さらには発砲軟質樹脂材を用いることにより、上述した効果を発揮させ得るものである。
【００２４】
また、本発明に係るペット用冷却マットによれば、マット基材が樹脂材による防水底板材で裏打ちされた状態であるから、マット基材に割れ等が生じても、飛び散らないといった利点もある。
【００２５】
さらに、本発明によれば、マット基材の座面部を取り囲むように側縁部分を膨出させた側縁部を形成することにより、ペットに対し清涼感等と共に、安心感を与えることができるペット用保冷マットを得ることができる。
さらに、本発明によれば、上述した膨出した側縁部に対して入口部を設けることにより、ペットを適切に座面部に誘導することができる冷却マットを得ることができる。
【００２６】
また、本発明によれば、マット基材の座面部の側縁部分や上方を覆う側壁部と天井部とを設けることにより、ペットに対し高い冷却効果を与えることができるとともに、安心感を与えることができるペット用保冷マットを得ることができる。
【００２７】
さらに、本発明によれば、マット基材表面の座面部を複数の凹みを等配させることによる凹凸形状で形成することにより、表面が湿った感じ（べたべた感）を軽減し得るとともに、表面のつるつる感を少なくし、ペットの爪が滑りやすいといった問題をなくし、ペットに安心感等を与えることができる。
【図面の簡単な説明】
【００２８】
【図１】本発明に係るペット用冷却マットの一実施形態を示し、（ａ）はペット用冷却マットの概略斜視図、（ｂ）はその要部断面図である。
【図２】本発明に係るペット用冷却マットの別の実施形態を示し、（ａ）はその要部構成を説明するための概略分解斜視図、（ｂ）はその要部断面図である。
【図３】（ａ），（ｂ）は本発明に係るペット用冷却マットのさらに別の実施形態を示す概略斜視図である。
【図４】本発明に係るペット用冷却マットの他の実施形態を示す概略斜視図である。
【図５】本発明に係るペット用冷却マットのさらに別の実施形態を示す概略斜視図である。
【発明を実施するための形態】
【００２９】
図１（ａ），（ｂ）は本発明に係るペット用冷却マットの一実施形態を示す。
同図において、符号１０は本発明を特徴づけるペット用冷却マットであり、このペット用冷却マット１０は、水の蒸発潜熱（気化熱）を利用することにより、ペットＰに対し涼感を与えるためのものであり、その上側表面がペットＰが横臥する座面部１１ａとなるように、床などに敷かれて用いられる。
【００３０】
本発明によれば、上述したペット用冷却マット１０を、例えばテラコッタ等の多孔質材料を焼成することにより全体がほぼ矩形板状に形成されるマット基材１１と、このマット基材１０の少なくとも底面部に形成される防水塗膜による防水層１２と、この防水層１２を介して前記マット基材１１の底面部に積層して設けられる樹脂材による防水底板材１３とから構成している。
【００３１】
なお、上述したマット基材１１としては、テラコッタ等の多孔質材料によるものが望ましいが、これに限定されず、種々の材質からなるものでもよい。要は、多孔質なものであることが望ましい。
【００３２】
また、このマット基材１１表面の座面部１１ａ等には、適宜の絵や模様などを記載したりし、ペットに快適な環境を提供し、またこの種のペット用保冷マット１０の設置場所でのスペース環境を損なわないような体裁とすることが望ましい。
【００３３】
さらに、防水層１２は、上述したマット基材１１の底面部に塗布等で形成される防水塗膜によって形成される。勿論、これに限らず、適宜の手法により形成される防水層であればよい。
【００３４】
また、防水底板材１３は、樹脂材として、軟質樹脂材、特に発砲軟質樹脂材でほぼ矩形板状に形成され、前記マット基材１１の底面部に防水層１２を介して積層して一体的に設けられるようになっている。
【００３５】
ここで、このような防水底版材１３の材質としては、エチレン酢酸ビニル（ＥＶＡ）、ポリ塩化ビニル（ＰＶＣ）、ポリエチレン（ＰＥ）、エポキシ樹脂（ＥＰ）、あるいは発砲ゴム（ＮＢＲ）等が望ましいが、これに限らず、適宜の合成樹脂材等を選択することは自由である。
【００３６】
このような構成によれば、多孔質材料によるマット基材１１に水噴き等を行うことにより、水の蒸発潜熱（気化熱）によって、マット基材の表面の温度を低く抑えることが可能で、これによりマット基材１１の上面上に座ったり横臥したりするペットＰに対し、清涼感を与えて、快適に過ごせるようにするという所要の冷却効果を得ることができるものである。
【００３７】
また、マット基材１１の底板部に防水層１２を介して防水樹脂材による防水底板材１３が積層して形成されているため、マット基材１１に水吹き等で水分を含ませても、マット１０の設置床面上に洩れ出すといった問題は生じない。したがって、従来必要であったトレイ等は必要なく、単に床面等に設置し、水等を吹き付けるだけでよく、使い勝手がよいといった利点がある。
【００３８】
さらに、上述したペット用冷却マット１０によれば、マット基材１１の底面部に防水層１２を介して樹脂材による防水底板材１３を設けているから、底面部が柔軟性をもち、設置した床面等に傷等が付いてしまうといった問題はない。
特に、この防水底板材１３を、軟質樹脂材、さらには発砲軟質樹脂材を用いることで効果的である。
【００３９】
また、本発明に係るペット用冷却マット１０によれば、マット基材１１が樹脂材による防水底板材１３で裏打ちされた状態であるから、マット基材１１に割れ等が生じても、飛び散らないという利点もある。
【００４０】
図２（ａ），（ｂ）は本発明に係るペット用冷却マット１０の別の実施形態を示し、前述した実施形態と同一または相当する部分には同一番号を付して説明は省略する。
【００４１】
この実施形態では、ペット用冷却マット１０の側縁部を囲繞して帯状のサイドカバー体１４を設け、ペット基材１１の側縁部分の防水性を高めている。
このような構成とすれば、ペット基材１１のより確実な防水性をより一層確実なものとすることができる。
【００４２】
図３（ａ），（ｂ）は本発明に係るペット用冷却マット１０の変形例をそれぞれ示すものであり、これらの実施形態では、ペット用冷却マット１０を全体がほぼ楕円形状を呈するように形成した場合を示す。
【００４３】
同図（ａ）はマット基材１１の座面部１１ａを取り囲むように側縁部分を膨出させた側縁部１５を形成するようにした場合を示す。ここで、この側縁部１５の高さは、この冷却マット１０を使用するペットＰの種類や大きさ等に応じて適宜のものを準備すればよい。
【００４４】
このような構成によれば、ペットＰに対し清涼感等と共に、側縁部１５の存在によってペットＰに対して安心感を与えることができるものである。
【００４５】
同図（ｂ）は上述した側縁部１５に入口部１６を設けた場合である。
このように構成すれば、ペットＰを適切にペット基材１１上の座面部１１ａに誘導することができるものである。
【００４６】
図４は本発明に係るペット用冷却マット１０のさらに別の実施形態を示す。
この実施形態では、マット基材１１を、前記座面部の側縁部分から立ち上がる側壁部１８と天井部１９とを有するドーム形状で形成している。そして、このようなマット基材１１の座面部１１ａと側縁部１８、さらに天井部１９によって囲まれたペット収容空間を形成する形状で形成している。なお、側壁部１８の少なくとも一部は開口部１６として形成されている。
【００４７】
このような構成によれば、ドーム形状によって覆われるため、ペットＰに対し高い冷却効果を与えることができるとともに、安心感を与えることができるものである。
【００４８】
図５は本発明に係るペット用冷却マット１０の他の実施形態を示す。
この実施形態では、マット基材１１表面の座面部１１ａに複数の矩形凹み１１ｂを、例えば縦横方向に交互に配列して形成することにより、これら複数の矩形凹み１１ｂの存在によって全体として凹凸形状を呈するように形成した場合を示している。
【００４９】
このような構成によれば、マット基材１１表面の座面部１１ａに形成されている矩形凹み１１ｂの存在によって、この冷却マット１０の表面が湿った感じ（べたべた感）を軽減することができる。特に、この冷却マット１０は、使用時において水を吹き付けたりすることで水分を含ませて使用されるものであり、使用するにあたって効果的である。
【００５０】
また、上述したように座面部１１ａを凹凸形状で形成すると、冷却マット１０の表面のつるつる感を少なくし、ペットＰの爪が滑りやすいといった問題をなくし、矩形凹み１１ｂによって滑りにくくすることができる。したがって、ペットＰに安心感等を与えることが期待できるものである。
【００５１】
さらに、上述したような凹凸形状では、浅い溝等の存在で表面積が増え、該表面から水分が蒸発することにより、冷却効果を高めることができるといった効果も期待することができる。
【００５２】
ここで、この図５では、複数の浅い矩形溝１１ｂを縦横方向に等配させて形成することにより凹凸形状で形成したが、これに限定されず、適宜の形状による凹みや溝等による凹凸形状であってもよい。要は、浅い細溝やディンプル形状等の凹みを、冷却マット１０のマット基材１１の表面、特に座面部１１ａを、全面にわたってほぼ均等に配列させ、全体として凹凸形状で形成できるようなものであれば、どのようなものであってもよい。
【００５３】
なお、本発明は上述した実施の形態で説明した構造には限定されず、ペット用冷却マット１０を構成する各部の形状、構造等を適宜変形、変更し得ることはいうまでもない。
【００５４】
たとえば上述した実施形態では、冷却マット１０の形状を全体がほぼ矩形形状あるいは楕円形状を呈する形状で形成した場合を説明したが、本発明はこれに限定されず、マット基材１１の基本形状としては、全体が円形、楕円形、多角形、角部に丸みを有する多角形またはそら豆型を呈する形状、あるいはその他の適宜形状で形成されておればよい。
【符号の説明】
【００５５】
１０  ペット用冷却マット
１１  マット基材
１１ａ  座面部（表面）
１１ｂ  矩形凹み（凹凸部）
１２  防水層
１３  防水底板材
１４  帯状サイドカバー体
１５  側縁部
１６  入口部
１８  側壁部
１９  天井部
【図１】
2012223132.tif 000003
【図２】
2012223132.tif 000004
【図３】
2012223132.tif 000005
【図４】
2012223132.tif 000006
【図５】
2012223132.tif 000007